(57)【特許請求の範囲】
【請求項１】
靴に装着可能なフレームであって、靴の右側および左側に沿って位置する一対の側壁部と、これら側壁部に対してそれぞれ一体に形成された一対の外枠とを備えたフレームと、
靴よりも右側および左側の位置における靴の踵の部分よりも爪先側に位置するように構成されるとともに、前記フレームにおける側壁部と外枠との間に回転自在に支持された一対の遊転輪と、
前記フレームの外枠の後部の位置において前記遊転輪から靴の後方向に位置をずらせて前記フレームと一体にそれぞれ形成されたブラケットであって、それぞれ一対の板材にて構成されたブラケットと、
前記ブラケットに装着された回転自在構造の左右一対の補助輪とを有し、
靴の爪先と一対の補助輪とを走行面から浮かせた状態で一対の遊転輪のみを走行面に接地させて円滑に走行できるように構成されているとともに、
前記一対の遊転輪と一対の補助輪とが接地した安定な状態で走行できるように構成されていることを特徴とする靴用ローラ。
【請求項２】
補助輪は、靴の前後方向に沿った遊転輪と同じ軸線上に配置されていることを特徴とする請求項１記載の靴用ローラ。
【発明の詳細な説明】
【技術分野】
【０００１】
本発明は靴用ローラに関する。本発明の靴用ローラは、普通の靴に装着することでこの靴をローラスケートとして使用することができる装着具の形態を有するものである。
【背景技術】
【０００２】
靴の踵側の部分の両側に回転自在構造の一対の車輪を設けたローラスケートが、たとえば特許文献１に記載されている。
【先行技術文献】
【特許文献】
【０００３】
【特許文献１】特表２００５−５１８２５９
【発明の概要】
【発明が解決しようとする課題】
【０００４】
しかし、このようなローラスケートでは、靴の前後方向に沿った一箇所に設けられたローラのみによって靴およびこの靴を履いた使用者を支えることになるため、バランスをとりにくいという問題点がある。すなわち、特許文献１に記載されたローラスケートでは、踵側の部分にのみローラが設けられているため、そのローラを用いた走行時に、使用者は、靴の爪先と、靴におけるローラよりも後側の部分とを同時に走行面から離さなければならず、爪先や踵の部分が一瞬でも走行面に接地すると、大きなブレーキが掛かってしまう。このため、使用者は、ローラによる走行時に、不安定な姿勢を維持し続けなければならず、疲れやすいという問題点がある。
【０００５】
そこで本発明は、このような問題点を解決して、ローラによる走行時に不安定な姿勢を長時間とり続ける必要が無いようにすることを目的とする。
【課題を解決するための手段】
【０００６】
この目的を達成するため本発明の靴用ローラは、
靴に装着可能なフレームであって、靴の右側および左側に沿って位置する一対の側壁部と、これら側壁部に対してそれぞれ一体に形成された一対の外枠とを備えたフレームと、
靴よりも右側および左側の位置における靴の踵の部分よりも爪先側に位置するように構成されるとともに、前記フレームにおける側壁部と外枠との間に回転自在に支持された一対の遊転輪と、
前記フレームの外枠の後部の位置において前記遊転輪から靴の後方向に位置をずらせて前記フレームと一体にそれぞれ形成されたブラケットであって、それぞれ一対の板材にて構成されたブラケットと、
前記ブラケットに装着された回転自在構造の左右一対の補助輪とを有し、
靴の爪先と一対の補助輪とを走行面から浮かせた状態で一対の遊転輪のみを走行面に接地させて円滑に走行できるように構成されているとともに、
前記一対の遊転輪と一対の補助輪とが接地した安定な状態で走行できるように構成されていることを特徴とする。
【０００７】
本発明の靴用ローラによれば、補助輪は、靴の前後方向に沿った遊転輪と同じ軸線上に配置されていることが好適である。
【発明の効果】
【０００８】
本発明の靴用ローラは、靴に装着可能なフレームであって、靴の右側および左側に沿って位置する一対の側壁部およびこれら側壁部に対してそれぞれ一体に形成された一対の外枠とを備えたフレームと、靴よりも右側および左側の位置における靴の踵の部分よりも爪先側に位置するように構成されるとともに、前記フレームにおける側壁部と外枠との間に回転自在に支持された一対の遊転輪と、前記フレームの外枠の後部の位置において前記遊転輪から靴の後方向に位置をずらせて前記フレームと一体にそれぞれ形成されたブラケットであって、それぞれ一対の板材にて構成されたブラケットと、前記ブラケットに装着された回転自在構造の左右一対の補助輪とを有し、靴の爪先と一対の補助輪とを走行面から浮かせた状態で一対の遊転輪のみを走行面に接地させて円滑に走行できるように構成されているとともに、前記一対の遊転輪と一対の補助輪とが接地した安定な状態で走行できるように構成されている。このため、補助輪を走行面から浮かせることで、靴の左右両側に配置された一対の遊転輪のみによって、抵抗の少ない状態で走行することができる。補助輪を走行面に接地させた場合には、靴の前後方向に沿った２箇所で使用者を支えることになるため、使用者は、安定な姿勢で走行を行うことができる。
【０００９】
本発明によれば、補助輪が靴の前後方向に沿った遊転輪と同じ軸線上に配置されていることで、異なる軸線上に配置されている場合に比べて、靴用ローラの旋回性能すなわちコーナリング性能を良好にすることができる。
【図面の簡単な説明】
【００１０】
【図１】本発明の実施の形態ではない参考例の靴用ローラを示す図である。
【図２】同参考例の靴用ローラの立体図である。
【図３】同参考例の靴用ローラにおける補助輪の装着構造を示す図である。
【図４】同補助輪の立体図である。
【図５】同補助輪のための軸受の立体図である。
【図６】同補助輪の軸を軸受に装着するときの様子を示す図である。
【図７】同補助輪を走行面に接地させたときの状態を示す図である。
【図８】本発明の実施の形態の靴用ローラを示す図である。
【発明を実施するための形態】
【００１１】
図１において、１は左足用の靴である。靴１としては、スニーカーなどが好適である。図１、図２において、１０は本発明の実施の形態ではない参考例の靴用ローラである。この靴用ローラ１０において、１１はフレームで、合成樹脂などによって形成されており、靴底を支持するベース部１２と、靴１をベース部１２に乗せたときにこの靴１の右側および左側に沿って位置する一対の側壁部１３、１４とを有している。また側壁部１３、１４に連続して、靴１の踵２の部分の側部に沿ってこの踵２の部分の側部を包み込むように配置されるカバー部１５、１５が形成されている。側壁部１３、１４どうしの間には、ゴム弾性を有するベルト１６がわたされている。このベルト１６により靴１の甲の部分を締付けることによって、フレーム１１を靴１に固定可能である。
【００１２】
側壁部１３、１４に対して外枠１７、１８が一体に形成されており、側壁部１３、１４と外枠１７、１８との間に、それぞれ遊転輪１９、２０が配置されている。２１、２１は軸で、右側の側壁部１３と外枠１７とに取り付けられることで、右側の遊転輪１９を回転自在に支持可能であるとともに、左側の側壁部１４と外枠１８とに取り付けられることで、左側の遊転輪２０を回転自在に支持可能である。遊転輪１９、２０は、フレーム１１に固定された靴１の前後の方向に走行可能とされている。
【００１３】
靴１をベース部１２に乗せ、その踵２の部分をカバー部１５、１５に沿わせ、そしてベルト１６によってフレーム１１を靴１に固定したときに、遊転輪１９、２０は、靴１における踵２の部分よりもやや爪先側に位置するように構成されている。
【００１４】
外枠１７、１８の後部には、それぞれ、一対の板材２２、２２にて構成されたブラケット２３、２３が一体に形成されている。そして、図示の参考例においては、靴１の左右のうちの小指側に対応するブラケット２３に、回転自在構造の補助輪２４が装着されている。すなわち、ブラケット２３、２３はフレーム１１の左右両側に形成されているが、補助輪２４は、靴１の左右のうちの小指側に対応するブラケット２３にのみ装着されている。つまり、図示のような左足用の靴１のために用いられる靴用ローラ１０の場合はその左側のブラケット２３にのみ補助輪２４が装着され、図示は省略するが右足用の靴のために用いられる靴用ローラの場合はその右側のブラケットにのみ補助輪が装着される。それぞれ、反対側のブラケットには補助輪は装着されない。
【００１５】
図３は、ブラケット２３における補助輪２４の装着部を下側から見た図である。図４に示すように、補助輪２４は、輪体２６と、輪体２６からその両側へそれぞれ突出した車軸２７とを有した構成であり、車軸２７は円柱状に形成されている。図３、５、６に示すように、ブラケット２３を構成するそれぞれの板材２２、２２には、車軸２７を収容可能な軸受穴２８が形成されている。軸受穴２８は、板材２２、２２の下辺側において下向きに開口している。２９は、その開口部である。この開口部２９を通して車軸２７を軸受穴２８にはめ込むことによって、車軸２７を軸受穴２８に収容して支持可能である。
【００１６】
開口部２９および軸受穴２８の内面には、開口部２９から軸受穴２８への車軸２７のはめ込みは容易であるが、軸受穴２６からの車軸２７の抜け出しは困難であるような突起状のストッパ３０が形成されている。ストッパ３０は、たとえば、車軸２７のはめ込み方向の傾斜はゆるく形成されているが抜け出し方向の傾斜はきつく形成されている突起にて形成することができる。この場合に、ブラケット２３の板材２２、２２は、上記のようなストッパ３０を機能させたはめ込み動作を良好に行わせるために、合成樹脂にて形成されていることが好適である。
【００１７】
図１において、３２は、遊転輪２０の走行方向を表す軸線である。補助輪２４は、同様に軸線３２上に配置されて、遊転輪２０と同方向に走行するように構成されている。
【００１８】
このような構成において、図１に示すように靴１に靴用ローラ１０を装着して走行面３３の上を走行する場合には、使用者は、靴１の爪先３と補助輪２４とを走行面３３から浮かせた状態で、遊転輪１９、２０のみを走行面３３に接地させる。これにより、靴１の爪先３や補助輪２４が走行面３３からの抵抗を受けずに、円滑に走行することができる。ただし、靴１の前後方向に沿った１箇所の位置のみが遊転輪１９、２０によって接地した状態で走行するので、安定性は良好であるとはいい難い。安定な状態で走行したい場合には、図７に示すように、遊転輪１９、２０のみならず補助輪２４をも接地させる。すると、靴１の前後方向に沿った２箇所の位置で接地することになるとともに、両方の遊転輪１９、２０と補助輪２４との３点で接地することになるため、接地安定性を格段に向上させることができる。
【００１９】
走行時には、直進のほかに、旋回を行うことが多い。このとき、図１に示すように、補助輪２４は、その走行方向の軸線３２が遊転輪２０の走行方向の軸線３２と一致するため、すなわち、補助輪２４は、フレーム１１の幅方向に沿って遊転輪２０と同じ位置に配置されているため、異なる位置に配置されている場合に比べて、旋回状態の走行すなわちコーナリングを、良好に行うことができる。
【００２０】
図８に示される本発明の実施の形態の靴用ローラ１０においては、旋回性よりはむしろ安定性を重視する。すなわち、上記の参考例とは相違して、両方のブラケット２３、２３に補助輪２４、２４が装着されている。
【符号の説明】
【００２１】
１１    フレーム
１９    遊転輪
２０    遊転輪
２４    補助輪
３２    軸線
【図１】
0005273821.tif 000002
【図２】
0005273821.tif 000003
【図３】
0005273821.tif 000004
【図４】
0005273821.tif 000005
【図５】
0005273821.tif 000006
【図６】
0005273821.tif 000007
【図７】
0005273821.tif 000008
【図８】
0005273821.tif 000009